(57)【要約】      （修正有）【課題】チャイルドレジスタント機能、タンパーエビデント機能を有しながら、特定の容器に適用が制約されることがなく、輸送中におけるロックリングの分離事故のおそれが殆どない容器の蓋体を提供する。【解決手段】容器Ｂの口部Ｂ1に装着するねじ式の内蓋１０と、内蓋１０に対して軸方向に相対移動可能に組み合わせ、内蓋１０とともにチャイルドレジスタント機能を実現する外蓋２０と、内蓋１０の下端部外周を一周するように配置するタンパーエビデント機能用のロックリング３０とを備え、ロックリング３０は、操作部３２と、操作部３２に隣接する破断可能な連結部３３とを有し、内蓋１０の下端の外フランジ１２を介し、外蓋２０を内蓋１０に向けて押下げ不能にロックして容器Ｂを未開封状態に初期セットするとともに、操作部３２を利用し連結部３３を破断して内蓋１０の外周から除去することにより、外蓋２０を押下げ可能に解放して容器Ｂを開栓可能にする。【選択図】図１
2015231848.tif 000002
【特許請求の範囲】
【請求項１】
容器の口部に装着するねじ式の内蓋と、該内蓋に対して軸方向に相対移動可能に組み合わせ、前記内蓋とともにチャイルドレジスタント機能を実現する外蓋と、前記内蓋の下端部外周を一周するように配置するタンパーエビデント機能用のロックリングとを備えてなり、該ロックリングは、操作部と、該操作部に隣接する破断可能な連結部とを有し、前記内蓋の下端の外フランジを介し、前記外蓋を前記内蓋に向けて押下げ不能にロックして容器を未開封状態に初期セットするとともに、前記操作部を利用して前記連結部を破断して前記内蓋の外周から除去することにより、前記外蓋を押下げ可能に解放して容器を開栓可能にすることを特徴とする容器の蓋体。
【請求項２】
前記ロックリングは、破断可能な薄肉部を介して前記外蓋の下端に一体成形することを特徴とする請求項１記載の容器の蓋体。
【請求項３】
前記ロックリングは、破断可能な薄肉部を介して前記外フランジ上に一体成形することを特徴とする請求項１記載の容器の蓋体。
【請求項４】
前記ロックリングは、前記外蓋、内蓋と別体に成形することを特徴とする請求項１記載の容器の蓋体。
【請求項５】
前記ロックリングは、前記外蓋の最大外径を越えない形状に形成することを特徴とする請求項１ないし請求項４のいずれか記載の容器の蓋体。
【発明の詳細な説明】
【技術分野】
【０００１】
この発明は、チャイルドレジスタント機能、タンパーエビデント機能を併せ有する容器の蓋体に関する。
【背景技術】
【０００２】
プッシュアンドターン方式のチャイルドレジスタント機能に加えて、タンパーエビデント機能を併せ有する容器の蓋体が提案されている（たとえば特許文献１）。
【０００３】
従来の容器の蓋体は、容器の口部に装着するねじ式の内蓋と、内蓋に対して軸方向に相対移動可能に組み合わせ、内蓋とともにプッシュアンドターン方式のチャイルドレジスタント機能を実現する外蓋と、破断可能な薄肉部を介して内蓋の下端に一体成形するタンパーエビデント機能用のロックリングとを備えている。ロックリングは、容器側のラチェットと係合して開き方向に回り止めされている。そこで、外蓋を内蓋に向けて押し下げながら開き方向に回転して容器を開栓すると、薄肉部が破断してロックリングが内蓋から分離し、容器の肩部に落下して開封の事実を外部に表示することができる。
【先行技術文献】
【特許文献】
【０００４】
【特許文献１】特開２００１−３０１７８３号公報
【発明の概要】
【発明が解決しようとする課題】
【０００５】
かかる従来技術によるときは、ロックリングは、容器側のラチェットと係合して回り止めするため、ラチェットを有しない一般的な容器に適用できないという問題があった。また、ロックリングは、薄肉部を介して内蓋の下端に一体成形されているため、内蓋、外蓋を組み合わせても、ロックリングだけが単独で外部に露出し、蓋体の輸送中に外部からの振動や衝撃などにより薄肉部が不用意に破断してしまうおそれがあるという問題もあった。
【０００６】
そこで、この発明の目的は、かかる従来技術の問題に鑑み、破断可能な連結部を有するロックリングを内蓋の下端部外周に配置することによって、チャイルドレジスタント機能、タンパーエビデント機能を有しながら、特定の容器に適用が制約されることがなく、輸送中におけるロックリングの分離事故のおそれが殆どない容器の蓋体を提供することにある。
【課題を解決するための手段】
【０００７】
かかる目的を達成するためのこの発明の構成は、容器の口部に装着するねじ式の内蓋と、内蓋に対して軸方向に相対移動可能に組み合わせ、内蓋とともにチャイルドレジスタント機能を実現する外蓋と、内蓋の下端部外周を一周するように配置するタンパーエビデント機能用のロックリングとを備えてなり、ロックリングは、操作部と、操作部に隣接する破断可能な連結部とを有し、内蓋の下端の外フランジを介し、外蓋を内蓋に向けて押下げ不能にロックして容器を未開封状態に初期セットするとともに、操作部を利用して連結部を破断して内蓋の外周から除去することにより、外蓋を押下げ可能に解放して容器を開栓可能にすることをその要旨とする。
【０００８】
なお、ロックリングは、破断可能な薄肉部を介して外蓋の下端に一体成形することができ、破断可能な薄肉部を介して外フランジ上に一体成形することができ、外蓋、内蓋と別体に成形することができる。
【０００９】
また、ロックリングは、外蓋の最大外径を越えない形状に形成してもよい。
【発明の効果】
【００１０】
かかる発明の構成によるときは、外蓋は、内蓋とともにチャイルドレジスタント機能を実現し、内蓋に向けて押し下げながら開き方向に回転させることにより、内蓋を開き方向に回転駆動して容器を開栓することができる。すなわち、ここでいうチャイルドレジスタント機能は、プッシュアンドターン方式となっている。一方、タンパーエビデント機能用のロックリングは、内蓋の下端部外周を一周するように配置されているとき、外蓋を押下げ不能にロックする一方、連結部を破断して内蓋の外周から除去すると、外蓋を押下げ可能に解放して容器を開栓可能にする。
【００１１】
そこで、内蓋の外周に配置されているときのロックリングは、内蓋の外周と下端の外フランジとによって保持されているため、外部からの振動や衝撃などによる動きが制限され、輸送中に分離事故を生じるおそれがない。また、ロックリングは、容器側のラチェットなどと組み合わせるものでなく、外蓋、内蓋と組み合わせるだけでよいため、ねじ付きの容器であれば、特定の容器にしか適用できないという制約がなく、任意の容器に対して広く適用することができる。
【００１２】
ロックリングは、外蓋の下端に一体成形してもよく、内蓋の下端の外フランジ上に一体成形してもよく、また、外蓋、内蓋のいずれとも別体に成形してもよい。なお、前二者の場合は、それぞれ破断可能な薄肉部を介して外蓋または内蓋と一体成形するものとする。
【００１３】
ロックリングは、外蓋の最大外径を越えない形状とすることにより、輸送中や、キャッピング装置に装填する際などにおいて、複数個の蓋体のロックリングが互いに絡まってしまう不具合を有効に排除することができる。
【図面の簡単な説明】
【００１４】
【図１】全体構成縦断面図
【図２】全体構成正面図
【図３】内蓋の構成説明図
【図４】外蓋、ロックリングの構成説明図
【図５】ロックリングの構成説明図
【図６】使用状態説明斜視図
【図７】使用状態説明図
【図８】他の実施の形態を示す要部構成説明図
【図９】他の実施の形態を示す分解斜視図（１）
【図１０】他の実施の形態を示す分解斜視図（２）
【図１１】他の実施の形態を示す図１相当図
【発明を実施するための形態】
【００１５】
以下、図面を以って発明の実施の形態を説明する。
【００１６】
容器の蓋体は、容器Ｂの口部Ｂ1 に装着するねじ式の内蓋１０と、内蓋１０に組み合わせる外蓋２０と、内蓋１０の下端部に配置するタンパーエビデント機能用のロックリング３０とを備えてなる（図１、図２）。ただし、外蓋２０は、内蓋１０の軸方向に相対移動可能であり、内蓋１０とともにプッシュアンドターン方式のチャイルドレジスタント機能を実現している。
【００１７】
容器Ｂは、たとえば滑らかに湾曲する肩部Ｂ2 の上部に口部Ｂ1 を形成するプラスチックボトルである。口部Ｂ1 の外周には、雄ねじＢ3 が形成されており、雄ねじＢ3 の下方にはリング状のリブＢ4 が形成されている。
【００１８】
内蓋１０の外周の中間部、下端には、それぞれ周方向の補助リブ１１、補助リブ１１より大径の外フランジ１２が形成されている（図１、図３）。ただし、図３（Ａ）〜（Ｃ）は、それぞれ内蓋１０の斜視図、上面図、正面図である。
【００１９】
内蓋１０の内面には、容器Ｂの雄ねじＢ3 に適合する雌ねじ１３が形成されている。内蓋１０の天面には、容器Ｂの口部Ｂ1 に適合するシール用のスカート１４が垂設されており、スカート１４の周囲には、口部Ｂ1 の上端面に対応するリング状のシールリブ１５が形成されている。また、内蓋１０の上面には、低いブロック状の第１の係合突部４１、４１…が外周部分に上向きに等配して形成されており、第１の係合突部４１、４１…の内側には、断面略直角三角形状の係合リブ５１、５１…が互いに９０°の相対角度を隔てて配列されている。なお、各係合リブ５１は、内蓋１０の閉じ方向（図３（Ａ）の矢印Ｋ1 方向）側に斜面が向けられ、開き方向（同図の矢印Ｋ1 方向と逆方向）側に垂直面が向けられている。各係合リブ５１は、頂部が内蓋１０の上面と平行に細幅に切除されている。
【００２０】
外蓋２０は、内蓋１０に被せるキャップ状に形成され（図１、図４）、外蓋２０の外周には、ローレット２１、２１…が形成され、外周下端には、リング状のリブ２２が形成されている。ただし、図４（Ａ）〜（Ｃ）は、それぞれ外蓋２０、ロックリング３０の一部破断斜視図、正面図、下面図である。
【００２１】
外蓋２０の内面下端部には、内蓋１０の補助リブ１１に対応する周方向の補助リブ２３が形成されている。そこで、外蓋２０は、補助リブ１１、２３を上下に係合させることにより、内蓋１０に対して抜止めされている。また、補助リブ２３の上方には、補助リブ２３とほぼ同一高さの斜め下向きの段部２４が形成されている。外蓋２０の天面には、内蓋１０の第１の係合突部４１、４１…に対応する低いブロック状の第２の係合突部４２、４２…が外周部分に下向きに形成されており、第２の係合突部４２、４２…の内側には、内蓋１０の係合リブ５１、５１…に対応する斜め下向きの湾曲弾性板状の付勢部５２、５２…が円形に配列して形成されている。
【００２２】
各付勢部５２は、外蓋２０の閉じ方向（図４（Ａ）の矢印Ｋ2 方向）の先端側が外蓋２０の天面から離れ、反対方向の基端側が外蓋２０の天面に連結されている。そこで、各付勢部５２は、先端が内蓋１０の上面に到達することにより外蓋２０を内蓋１０から引き離す方向に付勢するとともに、外蓋２０を閉じ方向に回転させると、先端が内蓋１０上の係合リブ５１の垂直面に正しく係合し、内蓋１０を閉じ方向に回転駆動することができる。
【００２３】
一方、付勢部５２、５２…に抗して外蓋２０を内蓋１０に向けて十分に押し下げて回転させると、外蓋２０側の第２の係合突部４２、４２…が内蓋１０側の第１の係合突部４１、４１…に係合し、内蓋１０を任意の方向に回転駆動することができる。すなわち、内蓋１０は、外蓋２０を内蓋１０に向けて押し下げながら開き方向に回転させることにより開き方向に回転駆動して容器Ｂを開栓させることができ、外蓋２０は、内蓋１０とともにプッシュアンドターン方式のチャイルドレジスタント機能を実現することができる。ただし、図１、図２、図４において、外蓋２０は、下端のタンパーエビデント機能用のロックリング３０を介して押下げ不能にロックされ、容器Ｂが未開封状態に初期セットされている。そこで、以下、ロックリング３０について説明する。
【００２４】
ロックリング３０は、外蓋２０の下端に付設され、内蓋１０の下端部外周を一周するように配置されている（図１、図２）。
【００２５】
ロックリング３０は、外蓋２０と同一内径の細幅のバンド状に形成されており、内周下半部には、内蓋１０の下端の外フランジ１２を収納する段部３１が形成されている（図１、図４）。また、ロックリング３０の中途には、周方向の操作部３２と、操作部３２に隣接する破断可能な小断面積の連結部３３とが形成されている（図４、図５）。連結部３３の一端は、操作部３２の先端部の上側に斜めに接続されており（図５（Ｂ））、連結部３３の他端側の接続部位には、操作部３２の下半部に対応する切欠き３４が周方向に形成されている。ロックリング３０は、操作部３２を含む全体形状が外蓋２０の最大外径を越えないように設定されている。ただし、図５（Ａ）は、図４（Ｂ）のＸ−Ｘ線矢視相当断面図であり、図５（Ｂ）、（Ｃ）は、それぞれ同図（Ａ）のＹ矢視相当要部拡大斜視図、Ｚ部における薄肉部３５の部分拡大図である。
【００２６】
ロックリング３０は、破断可能な断続的な薄肉部３５、３５…を介し、外蓋２０の下端に一体成形されている（図１、図５）。外蓋２０の下端面には、外蓋２０の内周側を下向きに延長するようにして断面三角形のリング状の膨出リブ２５が形成され、ロックリング３０の上端面には、ロックリング３０の内周を上向きに延長するようにして断面三角形の膨出リブ３５ａ、３５ａ…が断続的に形成され、薄肉部３５、３５…は、外蓋２０側の膨出リブ２５と、ロックリング３０側の各膨出リブ３５ａとの頂部間に形成されている。なお、操作部３２の基端側に最も近い先頭の薄肉部３５は、操作部３２側に向けて厚みを漸減させ（図５（Ａ）、（Ｃ））、薄肉部３５、３５…を破断させてロックリング３０を外蓋２０から分離し易くなっている。
【００２７】
ただし、図５（Ａ）の各膨出リブ３５ａの両端の形状は、成形時のパーティングラインＰＬを考慮して設定されている。また、図５（Ａ）において、先頭の薄肉部３５に加えて、他のすべての薄肉部３５、３５…についても、操作部３２による破断開始側に向けて厚みを漸減させてもよい。
【００２８】
ロックリング３０を介して外蓋２０が押下げ不能にロックされ、未開封状態に初期セットされている容器Ｂを開封するときは、ロックリング３０の操作部３２に外向きの力を加え（図６の矢印Ｋ3 方向）、操作部３２を利用して連結部３３を破断してロックリング３０を切断する。その後、操作部３２をそのまま外向きに引き続けると、外蓋２０とロックリング３０との間の薄肉部３５、３５…が順に破断してロックリング３０が外蓋２０から分離し、最終的にロックリング３０を内蓋１０の外周から除去することができる（図７（Ａ）、（Ｂ））。ただし、図７（Ａ）、（Ｂ）は、それぞれロックリング３０を除去して内蓋１０の下端部を露出させ、容器Ｂが開封状態になったことを示す図１、図２相当図である。
【００２９】
そこで、このようにして容器Ｂを開封状態にすると、外蓋２０は、内蓋１０に向けて押下げ可能に解放されるから、外蓋２０を押し下げて（図７（Ａ）の矢印Ｋ4 方向）、そのまま外蓋２０を開き方向に回転させると（同図（Ｃ）の矢印Ｋ5 方向）、外蓋２０側の第２の係合突部４２、４２…、内蓋１０側の第１の係合突部４１、４１…を介して内蓋１０が開き方向に回転駆動され、容器Ｂを開栓することができる。なお、外蓋２０は、下端の膨出リブ２５の先端が内蓋１０の外フランジ１２の上面に当接するまで押下げ可能である。
【００３０】
開栓後の容器Ｂは、外蓋２０を閉じ方向に回転させ、付勢部５２、５２…を係合リブ５１、５１…に係合させて内蓋１０を閉じ方向に回転駆動し、閉栓することができる。ただし、外蓋２０を閉じ方向に回転させるとき、外蓋２０を内蓋１０に向けて押し下げ、第１、第２の係合突部４１、４１…、４２、４２…を介して内蓋１０を閉じ方向に回転駆動してもよい。なお、容器Ｂを閉栓すると、内蓋１０の下端部が外蓋２０の下方に露出するが、外蓋２０の下端に大径のリブ２２が形成されているため、内蓋１０の下端部を閉栓方向に直接手指で回転させ難くなっている。
【他の実施の形態】
【００３１】
外蓋２０、ロックリング３０の間の破断可能な薄肉部３５、３５…は、ロックリング３０の操作部３２、連結部３３の部分を除き、ほぼ円形に連続する単一の薄肉部３５とすることができる（図８）。なお、このときの薄肉部３５は、ロックリング３０側の膨出リブ３５ａを断続させず、ほぼ円形に連続させればよい。ただし、図８（Ａ）は、図４（Ｂ）相当図、図８（Ｂ）、（Ｃ）は、それぞれ同図（Ａ）のＸ−Ｘ線矢視相当模式図、同図（Ｂ）のＺ部拡大図である。
【００３２】
ロックリング３０は、内蓋１０の下端の外フランジ１２上に形成してもよい（図９）。図９において、外フランジ１２は、ロックリング３０を上面に保持し得る外径に形成されており、ロックリング３０は、破断可能な断続的または連続的な薄肉部３５を介して外フランジ１２上に一体成形するものとする。また、このときのロックリング３０は、内周の段部３１を省略することができる。
【００３３】
なお、ロックリング３０は、内蓋１０、外蓋２０のいずれからも別体に成形してもよい（図１０）。
【００３４】
内蓋１０は、天面のシール用のスカート１４を垂設する部分を容器Ｂの口部Ｂ1 内に下げて形成することができる（図１１）。このとき、内蓋１０の上面外周部分の第１の係合突部４１、４１…は、シールリブ１５用のリング状の突出部１５ａの外周に形成されている。チャイルドレジスタント機能用の外蓋２０の押下げ距離を小さくして操作性を向上させるとともに、内蓋１０、外蓋２０の組合せ時における全体高さを低くすることができる。
【００３５】
なお、ロックリング３０の操作部３２は、容器ＢのリブＢ4 と干渉しない限り、下向きに拡幅して形成することにより（図２の二点鎖線）、操作性を一層向上させることができる。
【産業上の利用可能性】
【００３６】
この発明は、薬品や飲食料品などの任意の用途の容器に対し、チャイルドレジスタント機能、タンパーエビデント機能を併せ有する容器の蓋体として広く好適に適用することができる。
【符号の説明】
【００３７】
Ｂ…容器
Ｂ1 …口部
１０…内蓋
１２…外フランジ
２０…外蓋
３０…ロックリング
３２…操作部
３３…連結部
３５…薄肉部
特許出願人      伸晃化学株式会社
【図１】
2015231848.tif 000003
【図２】
2015231848.tif 000004
【図３】
2015231848.tif 000005
【図４】
2015231848.tif 000006
【図５】
2015231848.tif 000007
【図６】
2015231848.tif 000008
【図７】
2015231848.tif 000009
【図８】
2015231848.tif 000010
【図９】
2015231848.tif 000011
【図１０】
2015231848.tif 000012
【図１１】
2015231848.tif 000013